(57)【要約】【課題】主画面の大きさを変更することなく副画面を表示でき、さらに副画面の映像表示内容を状況に応じて適切に認識することが可能な映像表示装置を提供すること。【解決手段】符号化された複数の映像信号を受信し、復号する。そして、復号された映像信号を表示するための表示画面の表示位置を、前記映像信号毎に決定し、決定された表示位置に基づいて前記映像信号を表示する。映像信号を表示した表示位置場合に、互いに重なる部分が生じる映像信号の一方、又は双方に対して特殊効果を施し、前記特殊効果を施した映像信号を出力し表示する。【選択図】図１
2008042785.tif 000002
【特許請求の範囲】
【請求項１】
符号化された複数の映像信号を受信し、復号する映像信号受信部と、
前記復号された映像信号を表示するための表示画面の表示位置を、前記映像信号毎に決定する表示位置決定部と、
前記決定された表示位置に基づいて前記映像信号を表示すると、表示位置が互いに重なる部分が生じる映像信号の一方、又は双方に対して特殊効果を施し、前記特殊効果を施した映像信号を出力する映像処理部と、
前記出力された映像信号を表示する表示部と、
を備えることを特徴とする映像表示装置。
【請求項２】
前記特殊効果の内容を決定するトリガー信号を受信するトリガー信号受信部を備え、
前記映像信号処理部は、
前記受信したトリガー信号に基づいて、前記重なる領域に施す特殊効果を決定することを特徴とする請求項１に記載の映像表示装置。
【発明の詳細な説明】
【技術分野】
【０００１】
本発明は、映像表示装置に関し、特に複数の映像を一画面に表示する技術に関する。
【背景技術】
【０００２】
近年、テレビジョン受像機に代表される映像表示装置は、テレビ放送、データ放送、インターネット経由による映像配信等の多くの映像源を有している。そのため、これら複数の映像源を一画面に同時に表示できる映像表示装置が開発されている。
【０００３】
例えば、複数の受信手段により受信した放送波のうちの何れかの番組配列情報に特定情報が含まれているか否かを検出する情報検出手段と、前記検出した特定情報に関連する番組を検出する番組検出手段と、前記番組検出手段により検出された番組を他の番組に比して大きく表示するように表示形態を切り替える表示形態切替手段とを備え、更に前記特定情報を視聴者が任意に設定するための特定情報設定手段を備える装置が考案されている（例えば、特許文献１参照）。
【特許文献１】特開２００４−３３６４１１号公報
【発明の開示】
【発明が解決しようとする課題】
【０００４】
しかし、上述した特許文献１に記載された技術では、副画面を表示する際に、主画面と副画面が重畳しないよう表示するためには、主画面の画面サイズが小さくなってしまうといった問題があった。
【０００５】
また、上述した特許文献１に記載された技術では、番組検出手段により特定情報が含まれている番組を検出した際に、他の番組に比べて大きく表示するよう表示形態を切り替えることとなる。したがって、他の画面を視聴しているときに、突然その画面が小さくなるという問題があった。
【０００６】
そこで、本発明の目的は、上記の問題点を鑑みてなされたものであり、主画面の大きさを変更することなく副画面を表示でき、さらに副画面の映像表示内容を状況に応じて適切に認識することが可能な映像表示装置を提供することである。
【課題を解決するための手段】
【０００７】
上述した課題を解決するために、第１の発明の映像表示装置は、符号化された複数の映像信号を受信し、復号する映像信号受信部と、前記復号された映像信号を表示するための表示画面の表示位置を、前記映像信号毎に決定する表示位置決定部と、前記決定された表示位置に基づいて前記映像信号を表示すると、表示位置が互いに重なる部分が生じる映像信号の一方、又は双方に対して特殊効果を施し、前記特殊効果を施した映像信号を出力する映像処理部と、前記出力された映像信号を表示する表示部と、を備えることを特徴とする。
【０００８】
また、前記映像表示装置は、前記特殊効果の内容を決定するトリガー信号を受信するトリガー信号受信部を備え、前記映像処理部は、前記受信したトリガー信号に基づいて、前記重なる領域に施す特殊効果を決定することを特徴とする。
【発明の効果】
【０００９】
本発明によれば、主画面の大きさを変更することなく副画面を表示でき、さらに副画面の映像表示内容を状況に応じて適切に認識することが可能な映像表示装置を提供できる。
【発明を実施するための最良の形態】
【００１０】
つづいて、本発明の映像表示装置に関する最良の実施形態について、図面を用いて詳細に説明する。
【００１１】
まず、図１は本発明を適用した映像表示装置の構成を示すブロック図である。図１における映像表示装置は、映像信号受信部１０と、映像処理部２０と、表示部３０と、表示位置決定部４０とを備えて構成されている。
【００１２】
映像信号受信部１０は、符号化された複数の信号を受信し、受信した複数の信号を復号および多重分離処理する。そして、復号された映像信号を映像処理部２０に送る。
【００１３】
表示位置決定部４０は、各画面の位置と、それぞれの画面で構成される重畳位置を計算し、それらを各画面の位置情報として映像処理部２０に送る。
【００１４】
映像処理部２０は、映像信号受信部１０から入力される復号された映像と、表示位置決定部４０から入力される各画面の位置情報とを取得し、所定の位置に所定の特殊効果を施した後、特殊効果の施された映像を表示部３０に送る。
【００１５】
表示部３０は、映像処理部２０から特殊効果の施された映像を受信し、受信された映像を表示する。
【００１６】
ここで、上記所定の位置とは、特殊効果を施す画面の部位を意味し、「主画面と副画面の重畳部」、「副画面全体」などの情報を表すものとする。
【００１７】
また、主画面とは、視聴者が主に視聴対象としている画面を指し、副画面とは副次的に視聴している画面を指すものであって、画面サイズや表示位置で区別するものではない。
【００１８】
以下では、副画面が1つ存在する例について説明を行うが、副画面は複数存在してもよく、本実施形態に記載された内容に基づいて、副画面が複数存在する場合でも容易に実現可能であるため、副画面が複数存在する実施例についての記載は省略する。
【００１９】
また、上記の符号化された信号とは、テレビ放送のみを指すのではなく、例えば、データ放送、レコーダー、ビデオカメラ、監視カメラ等の外部装置からの入力信号、インターネットやＬＡＮなどのネットワーク配信される信号でもよい。また、信号の種類は動画に限定せず、デジタルカメラなどから送られる静止画でも、電子メールのようなテキストでもよい。
【００２０】
図２は、図１における映像信号受信部１０の構成例を示すブロック図である。ここでは、主画面に対して副画面が１つ表示される画面を考えるため、映像信号受信部１０へ入力する複数の信号として、符号化された主画面への信号と、符号化された副画面への信号を考える。
【００２１】
映像信号受信部１０は、図２に示すように、主画面信号チューナー１１０と、主画面映像多重分離部１２０と、副画面信号チューナー１３０と、副画面映像多重分離部１４０とを備えて構成されている。
【００２２】
主画面信号チューナー１１０は、符号化された主画面への信号を復号し、主画面映像多重分離部１２０に送る。主画面映像多重分離部１２０は、復号された信号を多重分離処理によって映像を分離し、復号された主画面映像を映像処理部２０に送る。
【００２３】
副画面信号チューナー１３０は、符号化された副画面への信号を復号し、副画面映像多重分離部１４０に送る。副画面映像多重分離部１４０は、復号された信号を多重分離処理によって映像を分離し、復号された副画面映像を映像処理部２０に送る。
【００２４】
図３は、図１における表示位置決定部４０の一構成例を示すブロック図である。図３に示すように、表示位置決定部４０は、表示位置設定部４１０と、表示位置計算部４２０とを備えて構成されている。
【００２５】
表示位置設定部４１０は、ユーザーのリモコン操作などで指定された画面の位置情報や、機器によって用意された画面配置パターン情報などの座標情報を、表示位置計算部４２０に送る。また、表示位置計算部４２０は、座標情報を元に、主画面と副画面の座標および主画面と副画面が構成する重畳部の座標を計算し、主画面と副画面の位置情報をて映像処理部２０に送る。
【００２６】
図４は、図３における表示位置設定部４１０の一構成例を示すブロック図である。図４に示すように、表示位置設定部４１０は、リモコン受信部４１０２と、画面配置パターンデータベース（以下、画面配置パターンＤＢ）４１０４と、表示位置判断部４１０６とを備えて構成されている。
【００２７】
リモコン受信部４１０２は、視聴者のリモコン操作による操作信号を受信し、信号内容を表示位置判断部４１０６に送る。表示位置判断部４１０６は、リモコン受信部４１０２からリモコン操作の信号内容を受け取り、各機能部に送る。例えば、操作内容が主画面および副画面の座標など画面の位置を指定するものであれば、その座標を表示位置計算部４２０に送る。また、操作内容が機器に予め格納されている主画面および副画面の画面配置パターンを選択するものであれば、選択パターンに対応する主画面および副画面の配置情報を、画面配置パターンＤＢ４１０４から取得し、そのパターンに対応する主画面および副画面の座標を表示位置計算部４２０に送る。
【００２８】
なお、画面位置を決める入力として、ユーザーによるリモコン操作による位置の指定と、機器に備わっている画面配置パターンの選択を例として挙げたが、これらは一例に過ぎず、例えば、ユーザーによって予め設定された好みの配置パターンから選択してもよく、映像源によって画面配置が決まっていてもよい。また、上記では画面位置の指定方法としてユーザーによるリモコン操作を挙げたが、他にも、映像表示装置本体のボタン操作や、タッチパネルなど、画面の位置を一意的に決定できる入力であれば良いことは勿論である。
【００２９】
図５は、図３における表示位置計算部４２０の一構成例を示すブロック図である。図５に示すように、表示位置計算部４２０は、主画面重畳計算部４２０２と、位置情報データベース(以下、位置情報ＤＢ)４２０４と、副画面重畳計算部４２０６とを備えて構成される。
【００３０】
主画面重畳部計算部４２０２は、位置情報ＤＢ４２０４から主画面と副画面の座標を取得し、主画面の座標と、主画面における副画面との重畳部の座標を計算し、その座標を映像処理部２０に送る。
【００３１】
副画面重畳部計算部４２０６は、位置情報ＤＢ４２０４から主画面と副画面の座標を取得し、副画面の座標と、副画面における主画面との重畳部の座標を計算して、その座標を映像処理部２０に送る。
【００３２】
位置情報ＤＢ４２０４は、表示位置設定部４１０から送られた、主画面と副画面のそれぞれの座標を格納するＤＢである。
【００３３】
図６は、図５における位置情報ＤＢ４２０４の一構成例を示す図である。位置情報ＤＢ４２０４には、テレビ画面のサイズ（横幅及び縦幅）と、主画面の位置・大きさ（基準点の座標、主画面の横幅及び縦幅）と、副画面の位置・大きさ（基準点の座標、副画面の横幅及び縦幅）とが格納されている。なお、ここで記入されている各値は一例である。また、格納されている座標、縦幅と横幅の単位は、ドット数、センチ、インチ等何でもよい。
【００３４】
図７を用いて上記座標について説明する。図７において、Ｘ（０，０）を原点とする。主画面の基準点となる点Ａ（１００，１００）と、主画面の縦幅（７６８）と横幅（１２８０）とが設定値として与えられているとき、主画面の残りの座標Ｂ，Ｃ，Ｄはそれぞれ、Ｂ（１３８０，１００）、Ｃ（１３８０，８６８）、Ｄ（１００，８６８）と求めることができる。ここでは、主画面の基準点の座標、縦幅、横幅を既知、つまり設定された値としたが、主画面の位置が一意に決定されるものであれば、他の情報でも構わない。
【００３５】
重畳部の算出方法について図６に記載された値と、図８を用いて説明する。図６より、主画面と副画目に関する各値は以下（１）〜（５）のようになる。
【００３６】
（１）テレビ画面の大きさ    ：１９２０×１０８０
（２）主画面の基準点の座標  ：Ａ（ＸＡ，ＹＡ）＝（１００，１００）
（３）主画面の横幅と縦幅    ：１２８０×７６８
（４）副画面の基準点の座標  ：Ｅ（ｘＥ，ｘＥ）＝（１０００，６００）
（５）副画面の横幅と縦幅    ：６４０×３８４
（２）及び（３）より主画面のＢ、Ｃ、Ｄ点の座標（ＸＢ，ＹＢ）＝（１３８０，１００）、（ＸＣ，ＹＣ）＝（１３８０，８６８）、（ＸＤ，ＹＤ）＝（１００，８６８）が求まり、（４）及び（５）より副画面のＦ、Ｇ、Ｈ点の座標（ｘＦ，ｙＦ）＝（１６４０，６００）、（ｘＧ，ｙＧ）＝（１６４０，９８４）、（ｘＨ，ｙＨ）＝（１０００，９８４）が求まる。
【００３７】
ここで
「ＸＡ＜ｘＧ  かつ  ＹＡ＜ｙＧ  かつ  ＸＣ＞ｘＥ  かつ  ＹＣ＞ｙＥ」
が真であれば重畳部が存在し、偽であれば重畳部は存在しないと判定できるが、図８の例では上記式は真となるため重畳部ＥＩＣＪが存在すると判定される。
【００３８】
図９は、図１における映像処理部２０の一構成例を示すブロック図である。図９に示しように、映像処理部２０は、映像加工部２１０と、特殊効果指示部２２０と、トリガー信号受信部２３０とを備えて構成される。
【００３９】
ここでトリガーとは、リモコン操作などのトリガー信号受信部２３０へ入力する信号情報を指し、トリガー信号受信部２３０は、このトリガー信号を受け、トリガーの内容を特殊効果指示部２２０に送る。特殊効果指示部２２０には、トリガーに対応した特殊効果が格納されており、トリガー(引き金)の内容を受けることにより、トリガーに対応した特殊効果を映像加工部２１０に送る。
【００４０】
映像加工部２１０は、主画面と副画面それぞれの映像に対して、特殊効果指示部２２０から取得した特殊効果の内容に従って特殊効果を施す。
【００４１】
図１０は、図９における映像加工部２１０の一構成例を示すブロック図である。図１０に示すように、映像加工部２１０は、主画面特殊効果処理部２１０２と、合成部２１０４と、副画面特殊効果処理部２１０６とを備えて構成される。
【００４２】
主画面特殊効果処理部２１０２は、主画面映像多重分離部１２０から復号された主画面映像と、主画面重畳計算部４２０２から、主画面の座標及び主画面における副画面との重畳部の座標とを受け取り、さらに特殊効果指示部２２０から特殊効果の内容を取得する。
【００４３】
そして、主画面特殊効果処理部２１０２は、主画面の重畳部に取得した特殊効果を施し、重畳部に特殊効果の施された主画面の映像、主画面の座標、重畳部の座標を合成部２１０４に送る。
【００４４】
副画面特殊効果処理部２１０６は、副画面映像多重分離部１４０から復号された副画面映像と、副画面重畳計算部４２０６から、副画面の座標及び重畳部の座標とを受け取り、合わせて特殊効果指示部２２０から特殊効果の内容を取得する。
【００４５】
そして、副画面特殊効果処理部２１０６は、副画面の重畳部に取得した特殊効果を施し、重畳部に特殊効果の施された副画面の映像、副画面の座標、重畳部の座標を合成部２１０４に送る。
【００４６】
合成部２１０４は、主画面特殊効果処理部２１０２から、重畳部に特殊効果が施された主画面映像と、主画面の座標と、重畳部の座標とを受け取り、副画面特殊効果処理部２１０６から、重畳部に特殊効果が施された副画面映像と、副画面の座標と、重畳部の座標と、を受け取り、特殊効果指示部２２０から特殊効果の内容を取得する。
【００４７】
そして、合成部２１０４は、主画面と副画面それぞれの座標情報および特殊効果の内容を元に、主画面および副画面を図１２に示すように重畳部が重なるように映像を合成し、特殊効果の施された映像を表示部３０に送る。
【００４８】
表示部３０は、受け取った合成映像を表示する。ここでは、特殊効果を施す部位の一例として、「主画面および副画面の重畳部」としたが、「副画面全体」や、「主画面全体」などの任意の位置で構わない。
【００４９】
図１１は、図９におけるトリガー信号受信部２３０および特殊効果指示部２２０の一構成例を示すブロック図である。
【００５０】
図１１に示すように、トリガー信号受信部２３０は、リモコン操作内容判定部２３０２と、ＷＥＢページ更新判定部２３０４と、副画面番組判定部２３０６と、予約視聴番組判定部２３０８とを備えて構成される。また、特殊効果指示部２２０は、トリガー特殊効果決定部２２０２と、トリガー特殊効果設定値データベース(以下、トリガー特殊効果設定値ＤＢ)２２０４とを備えて構成される。
【００５１】
以下ではトリガーの例として、リモコン操作Ｐ１００、ＷＥＢページの更新Ｐ１０２、ＥＰＧ(電子番組表、Ｅｌｅｃｔｒｉｃ  Ｐｒｏｇｒａｍ  Ｇｕｉｄｅ)情報Ｐ１０４、副画面チャンネルＰ１０６、現在時刻Ｐ１０８、予約視聴番組情報Ｐ１１０を扱う。
【００５２】
図１３は、トリガー特殊効果設定値ＤＢ２２０４の一構成例を示す図である。トリガー特殊効果設定値ＤＢ２２０４には、予め設定されたトリガー内容と、特殊効果を施す領域と、特殊効果とが対応づけて格納されている。
【００５３】
例えば、トリガーの内容が、「リモコンで主画面のチャンネル変更」だとすると、「主画面と副画面の重畳部」において、「副画面のα＝１」とする特殊効果が対応付けられていることがわかる。
【００５４】
図１３におけるαとは、アルファブレンディングにおけるパラメータである。アルファブレンディングとは、図１４のように、重なり合う複数の画面の重畳部において、各画面を不透明度に応じて合成するものであり、不透明度をあらわす値としてアルファ値(以下、α値)が使われる。ここで、主画面の入力をＭ、副画面の入力をＳとすると、総出力Ｚは
Ｚ＝α・Ｓ＋(１−α)・Ｍ
で表される。
【００５５】
例えば、α値が「１」の場合には副画面の映像は不透明になり、主画面の画像と合成すると、映像が重なった所では主画面の映像は見えなくなる。これに対して、α値が「０」の場合には、副画面の映像は透明になり、主画面の映像と合成すると、画像が重なった所では主画面の映像が透けて見え、重ねた副画面の映像は見えなくなる。また、α値が「０．５」の場合は半透明になり、画像が重なった所では、主画面の映像と副画面の映像が１対１で混合したようになり、半透明合成したように見える。ここでαは「０≦α≦１」の値をとる。
【００５６】
上記のように主画面と副画面の重畳部にアルファブレンディングを施すことにより、重畳部において副画面が主画面の情報の全ては遮断しないため、視聴者は主画面の情報を得ることが出来る。
【００５７】
このため、図１５(Ａ)のような従来の副画面表示では、副画面の重畳によって重畳される主画面部分の情報が完全に欠落しており、図１５(Ｂ)のような従来の副画面表示では、主画面の画面サイズが小さくなっていたが、本発明によって、主画面の情報が完全には欠落せず、主画面サイズを小さくすることなく副画面を表示することが可能となる。
【００５８】
なお、図１３におけるトリガー特殊効果設定値ＤＢ２２０４では、特殊効果を施す領域として「主画面と副画面の重畳部」を挙げているが、これはあくまでも一例であり、複数の副画面を持つ場合は「副画面１と副画面２の重畳部」、「主画面と副画面２の重畳部」、「主画面と副画面１と副画面２の重畳部」のような組み合わせでもよい。
【００５９】
また、トリガー特殊効果設定値ＤＢ２２０４において、例えば映像表示装置の電源ＯＮに相当する「初期化時」をトリガー内容として扱えば、視聴者が映像表示装置の電源を入れた直後に重畳部が生じている場合に、視聴者がリモコン操作などの明示的な操作をしなくとも重畳部に特殊効果を施すことが可能となる。
【００６０】
リモコン操作内容判定部２３０２は、トリガーとして視聴者によるリモコン操作Ｐ１００を受け、その操作が対象としている画面と操作の種類を判断する。つまり、トリガー内容を「リモコンによるチャンネル変更」、捜査対象を「主画面」のように判断し、トリガー特殊効果決定部２２０２に、トリガー内容として「リモコンで主画面のチャンネル変更」のように通知する。
【００６１】
ＷＥＢページ更新判定部２３０４は、トリガーとして主画面または副画面で表示しているＷＥＢページの更新Ｐ１０２の情報を受け、その更新が実際に内容更新されているようなＷＥＢサーバーによる更新なのか、視聴者が設定した、例えば１分ごとの自動更新なのかを判断して、更新対象となった画面と更新の種類をトリガー特殊効果決定部２２０２に通知する。
【００６２】
副画面番組判定部２３０６は、番組情報として副画面チャンネルＰ１０６と、ＥＰＧ情報Ｐ１０４と、トリガーとして現在時刻Ｐ１０８とを取得する。副画面番組判定部２３０６は、取得したトリガーおよび番組情報から、例えば、「今後１０分以内に開始される番組」のチャンネルを検索し、合わせて開始までの時間を取得して、開始される番組のチャンネルと開始までの時間を、トリガー特殊効果決定部２２０２に通知する。
【００６３】
ここで、「１０分」という開始判定する時間は一例であり、ユーザーが設定できるようにしてもよい。また、番組開始の検索対象となるチャンネルは、ユーザーが設定してよく、例えば「４、６、８チャンネルのみ」、「現在副画面に出しているチャンネルのみ」、「現在主画面に表示しているチャンネル以外」、「ＢＳチャンネルのみ」、という設定でもよい。
【００６４】
また、チャンネルで検索対象を絞るのではなく、映画、バラエティ、ニュースなどのようにジャンルで選択してもよい。これらの検索の条件は、複数の条件を組み合わせて設定してもよく、設定に合わせて重畳部に施す特殊効果を変えてもよい。
【００６５】
予約視聴番組判定部２３０８は、番組情報として副画面チャンネルＰ１０６と、予約視聴番組情報Ｐ１１０と、トリガーとして現在時刻Ｐ１０８とを取得する。予約視聴番組判定部２３０８は、現在時刻と視聴者が視聴予約した番組の番組情報を参照し、視聴予約していた番組が何分後に、どのチャンネルで始まるかをトリガー特殊効果決定部２２０２に送る。
【００６６】
ここでは、トリガー要因として、リモコン操作、ＷＥＢページの更新、現在時刻、副画面チャンネル、ＥＰＧ情報、予約視聴番組情報としたが、他にもレコーダーや携帯電話、ＰＤＡ、デジタルカメラ、ビデオカメラなどの外部機器との接続を知らせる信号、外部機器からの信号入力、家屋のインターフォンの押下、セキュリティ装置からの信号、電子メールの到着、電話の着信、ニュース速報等の緊急放送の通知などでも構わない。
【００６７】
ここで、トリガー特殊効果決定部２２０２の動作の一例として、副画面番組判定部２３０６から、番組が開始されるチャンネル、番組が開始されるまでの時間を取得した場合について説明する。
【００６８】
トリガー特殊効果決定部２２０２が、番組が開始されるチャンネル、番組が開始されるまでの時間を取得すると、トリガー特殊効果設定値ＤＢ２２０４を参照し、取得したチャンネルと開始までの時間に対応する特殊効果が格納されていないかを検索する。格納されていた場合、トリガー特殊効果決定部２２０２は、トリガー特殊効果設定値ＤＢ２２０４から該当する特殊効果を取得し、映像処理部２０に特殊効果の内容を送る。該当する特殊効果が無い場合、トリガー特殊効果決定部２２０２は、トリガー特殊効果設定値ＤＢ２２０４から特殊効果は取得せず、処理を終了する。
【００６９】
トリガー特殊効果決定部２２０２は、上記のリモコン信号等のトリガーが入力しない場合、現在時刻Ｐ１０８を例えば１０秒間隔のように定期的に取得することにより、その１０秒の間に、リモコン操作内容判定部２３０２などから信号が来たかどうかを判断する。１０秒の間に、例えばリモコン操作内容判定部２３０２がリモコン操作信号を受け、トリガー特殊効果決定部２２０２に対して、操作された画面と操作の種類を通知してきた場合、トリガー特殊効果決定部２２０２は上記と同様の処理を行う。
【００７０】
一方、１０秒間の間にリモコン操作内容判定部２３０２などから通知が来なかった場合、トリガー特殊効果決定部２２０２は「１０秒間の間、通知が来ていない」という情報を、新たなトリガーと捉え、対応する特殊効果がトリガー特殊効果設定値ＤＢ２２０４に格納されていないかを参照し、対応する特殊効果が格納されていれば、特殊効果の内容を取得し映像加工部２１０に送る。他方、格納されていなければ、再びトリガー信号を１０秒間待つ。
【００７１】
また、トリガー特殊効果設定値ＤＢ２２０４に、図１３のようにトリガー特殊効果決定部２２０２が前回のトリガー受けて取得した特殊効果を格納しておけば、「１０秒間の間、通知が来ていない」というトリガーを受けたとき、前回取得した特殊効果を参照して、その特殊効果に変化を加えてもよい。
【００７２】
ここで特殊効果に変化を加えるとは、図１３のように例えば「α＝１でアルファブレンディング」を前回トリガー特殊効果設定値ＤＢ２２０４から取得していた場合、前回取得した特殊効果からα値を取得してα＝α−０．０１を施し、新たに「α＝０．９９でアルファブレンディング」という特殊効果を映像加工部２１０に送るような操作をいう。
【００７３】
ここでは、前回取得した特殊効果が、トリガー特殊効果設定値ＤＢ２２０４に格納されているとしたが、トリガー特殊効果決定部２２０２と映像加工部２１０との間にデータベースを配置し、そのデータベースにトリガー特殊効果決定部２２０２特殊効果の内容を格納し、映像加工部２１０がそのデータベースから特殊効果の内容を取得してもよい。
【００７４】
このように、一定時間トリガーが来ていないことを新たなトリガーと捉えることにより、例えば上記のように副画面のアルファ値を段階的に減少(「０．５」に近づける)させると、副画面がトリガーを受けて不透明（α＝「１」）になった後、視聴者が副画面に興味を示さなければ(トリガーを発信しなければ)、副画面が徐々に半透明になり、重畳している主画面の映像を確認することが出来る。このため、視聴者が興味を持たない副画面が、いつまでも主画面を邪魔するという状況を防ぐ効果が得られる。
【００７５】
ここでは説明のために、特殊効果としてアルファブレンディングを記述したが、本発明はこれに限らず、重畳部に施す特殊効果の種類としては、アルファブレンディング以外の半透明処理（例えば、Ｚ＝β・Ｓ＋γ・Ｍ、０≦β≦１、０≦γ≦１）でも構わない。
【００７６】
上記のような半透明処理を施すことにより、副画面が主画面の情報を完全には遮断しないため、副画面が主画面の邪魔にならず、副画面を常に表示することができる。このため視聴者は、副画面の映像表示内容を状況に応じて適切に認識することができる。
【００７７】
特殊効果の種類は、トリガー発生時に視聴者の注意を副画面に促すような特殊効果があればよく、半透明処理以外にも、デフォーカス効果、画面の輪郭強調や着色や輝度の変化などでも構わない。また、特殊効果は視覚的なものに限らず、警告音や、副画面音声のミュート解除など、音声に関するものでも構わない。また、上記の特殊効果を組み合わせて使用しても構わない。
【００７８】
特殊効果を組み合わせの例として、半透明処理とデフォーカス効果を考え、半透明処理の一例としてアルファブレンディング、デフォーカス効果の一例として網掛け処理を考える。
【００７９】
例えば、網掛け処理とは、図１６のように、重畳部の映像に対して細かな黒色斜線を描画することにより、重畳部を重畳部以外の部分よりも暗くする処理のことを指す。ここでは、網掛け処理の一例として、黒色斜線の描画を挙げたが、半透明の黒色映像との合成、重畳部の輝度の低減など、重畳部が暗くなるような処理であれば構わない。
【００８０】
また、図１７、図１８、図１９は、重畳部にアルファブレンディングと網掛け処理が施された場合の、トリガーが発生前後の、重畳部への特殊効果の時間変化を表している。
【００８１】
図１７では、（Ａ）はトリガー発生前の状態を表し、このとき重畳部にはアルファブレンディングと、網掛け処理が施されている。（Ｂ）はトリガー発生時点の状況を表し、重畳部の映像は黒一色になって（暗転して）いる。（Ｃ）はトリガー発生後、しばらく経過した状況を表し、重畳部の映像の暗転が解除されると同時に、副画面のα値に「１」が与えられ、（Ａ）と同様に網掛け処理が施されている。上記（Ａ）、（Ｂ）、（Ｃ）の処理によって、視聴者に対してトリガー発生時に副画面へ注意を促すと同時に、副画面映像の確認を容易にすることが出来る。
【００８２】
図１８は、（Ｄ）はトリガー発生前の状態を表し、このとき重畳部にはアルファブレンディングと網掛け処理が施されている。（Ｅ）はトリガー発生時点の状況を表し、重畳部は、網掛けが解除され明るくなる。（Ｆ）はトリガー発生後、しばらく経過した状況を表し、重畳部には再び網掛け処理が施される同時に、副画面のα値に「１」が与えられている。上記（Ｄ）、（Ｅ）、（Ｆ）の処理によって、トリガー発生時に重畳部が点滅する効果が得られ、視聴者に副画面へ注意を促すと同時に、副画面映像の確認を容易にすることが出来る。
【００８３】
図１９では、（Ｇ）がトリガー発生前の状態を表し、このとき重畳部にはアルファブレンディングと網掛け処理が施されている。（Ｈ）はトリガー発生時点での状況を表し、重畳部は網掛けが解除され明るくなる。（Ｉ）はトリガーが来た後、しばらく経過した状況を表し、重畳部は網掛けが解除された明るい状態を維持し続けると同時に、副画面のα値に「１」が与えられている。（Ｇ）、（Ｈ）、（Ｉ）の処理によって、トリガー発生以降、重畳部が点灯する効果が得られ、視聴者に副画面へ注意を促すと同時に、副画面映像の確認を容易にすることが出来る。
【００８４】
上記網掛け処理はデフォーカス効果の一例であり、重畳部や副画面をデフォーカスできればよく、モザイク処理、映像の輪郭のみの表示、映像の単色化などでも構わない。また、上記では網掛け処理を行う範囲を重畳部としたが、副画面全体でも構わない。
【００８５】
また、網掛け処理以外のデフォーカス効果として、トリガー発生前にモザイク処理を重畳部の副画面に対して施していた場合、トリガー発生後にモザイク処理を解除することにより、副画面への注意と副画面映像の確認の容易化を行うことができる。
【００８６】
また、網掛け処理以外のデフォーカス効果として、映像の輪郭のみの表示を重畳部の副画面に施していた場合、トリガー発生後に輪郭のみの表示を解除することにより、副画面への注意と副画面映像の確認の容易化を行うことができる。
【００８７】
また、網掛け処理以外のデフォーカス効果として、映像の単色化を重畳部の副画面に施していた場合、トリガー発生後に副画面の映像を通常のＲＧＢで表示した場合、副画面への注意と副画面映像の確認の容易化を行うことができる。
【００８８】
図１７、図１８、図１９のように半透明効果とデフォーカス効果を組み合わせることにより、α値のみを変化させる場合よりも、副画面へ注意を促す効果が増し、副画面映像の確認も容易になる。
【００８９】
上記のようなトリガーに対する特殊効果を施すことにより、視聴者は好みの裏番組などを見逃すことがなくなると同時に、副画面へ注意を向けるべきタイミングを知らされるため、視聴者は副画面に注意を払い続ける必要がなくなる。このため、視聴者は、主画面の視聴に集中することができる。
【００９０】
［動作フロー］
つづいて、上述した映像表示装置について、図を用いて動作を説明する。図２０は、図２における主画面映像受信部１０内部の主画面信号チューナー１１０が符号化された主画面への信号を受信し、主画面映像多重分離部１２０が、映像処理部２０に復号された主画面の映像信号を送るまでのフローチャートである。
【００９１】
まず、ステップＳ２００１では、主画面信号チューナー１１０が符号化された主画面への信号を受信する。次にステップＳ２００２では、主画面信号チューナー１１０が信号を復号し、復号された信号を主画面映像多重分離部１２０に送る。そして、ステップＳ２００３では、主画面映像多重分離部１２０が、復号された主画面への信号を多重分離によって映像信号を分離し、映像信号を映像処理部２０に送る。
【００９２】
なお、上記で説明した図２０の動作フロー処理は、図２における副画面信号チューナー１３０と副画面映像多重分離部１４０とでも同様の動作がなされる。
【００９３】
図２１は、図５において、位置情報ＤＢ４２０４が表示位置設定部４１０から、主画面と副画面の座標を取得してから、図１０における合成部２１０４が合成画像を作成するまでの動作フローを示したものである。
【００９４】
まず、ステップＳ２１０１では、位置情報ＤＢ４２０４は、表示位置設定部４１０より、主画面と副画面の座標を受け取る。つづいて、ステップＳ２１０２では、主画面重畳計算部４２０２は、位置情報ＤＢ４２０４より、主画面と副画面の座標を受け取る。
【００９５】
ステップＳ２１０３では、主画面重畳計算部４２０２が、主画面における副画面との重畳部の座標を計算し、座標を主画面特殊効果処理部２１０２に送る。
【００９６】
つづく、ステップＳ２１０４では、主画面特殊効果処理部２１０２は、主画面映像多重分離部１２０から復号された主画面の映像、主画面重畳計算部４２０２から主画面と重畳部の座標を取得する。
【００９７】
ステップＳ２１０５では、主画面特殊効果処理部２１０２は、特殊効果指示部２２０から特殊効果の内容が来たかどうかを判断し、来ていたならば処理をステップＳ２１０６に移し、来ていなければ処理をステップＳ２１０９に移す。
【００９８】
ここで、ステップＳ２１０６では、主画面特殊効果処理部２１０２は、特殊効果指示部２２０から特殊効果の内容を取得し、主画面の所定の場所に特殊効果を施し、特殊効果の施された映像と座標を合成部２１０４に送る。
【００９９】
ステップＳ２１０８では、合成部２１０４は、主画面特殊効果処理部２１０２と副画面特殊効果処理部２１０６から映像および座標、特殊効果指示部２２０から特殊効果の内容を取得し、重畳部位を重ねるように主画面と副画面の映像を合成し、合成映像を表示部３０に送る。
【０１００】
他方、ステップＳ２１０７では、主画面特殊効果処理部２１０２は、特殊効果を施さず、映像と座標を合成部２１０４に送る。
【０１０１】
上記の動作フローに基づく処理は、図５における副画面重畳計算部４２０６と、図１０における副画面特殊効果処理部２１０６とでも同様に処理が行われる。また、上記のフローでは、ステップＳ２１０４で主画面の映像と座標を取得した後に、ステップＳ２１０５で特殊効果の内容が来ているか判定したが、特殊効果の内容が来ているか判定してから、主画面の映像と座標を取得してもかまわない。
【０１０２】
次に、図２２は、図９および図１１において、視聴者がリモコンを操作Ｐ１００してから、トリガー特殊効果決定部２２０２が、特殊効果の内容を映像加工部２１０に送るまでの処理を説明するための動作フローである。
【０１０３】
まず、ステップＳ２３０１において、視聴者からなされたリモコン操作Ｐ１００が検知される。すると、ステップＳ２３０２において、リモコン操作内容判定部２３０２は、操作された画面と操作の種類を判断する。
【０１０４】
次に、ステップＳ２３０３では、リモコン操作内容判定部２３０２が操作された画面と操作の種類をトリガー特殊効果決定部２２０２に通知する。
【０１０５】
ステップＳ２３０４では、トリガー特殊効果決定部２２０２が、トリガー特殊効果設定値ＤＢ２２０４を参照し、リモコン操作内容判定部２３０２から通知された操作内容に対応する特殊効果を探す。
【０１０６】
ステップＳ２３０５では、リモコン操作内容判定部２３０２から通知された操作に対応する特殊効果が、トリガー特殊効果設定値ＤＢ２２０４に格納されていたかを判断する。格納されている場合（ステップＳ２３０５；Ｙｅｓ）、処理をステップＳ２３０６に移し、格納されていない場合（ステップＳ２３０５；Ｎｏ）は処理を終了する。
【０１０７】
ステップＳ２３０６では、トリガー特殊効果決定部２２０２がトリガー特殊効果設定値ＤＢ２２０４から、操作に対応する特殊効果を取得して映像加工部２１０に特殊効果の内容を送り、処理を終了する。
【０１０８】
図２３は、図９および図１１において、ＷＥＢページの更新Ｐ１０２の情報がＷＥＢページ更新判定部２３０４に到達してから、トリガー特殊効果決定部２２０２が特殊効果の内容を映像加工部２１０に送るまでの処理を説明するための動作フローである。
【０１０９】
ステップＳ２４０１では、ＷＥＢページの更新Ｐ１０２の情報が、ＷＥＢページ更新判定部２３０４に来る。ステップＳ２４０２では、ＷＥＢページ更新判定部２３０４が、更新の種類がサーバーによるものか、ユーザー設定による自動更新なのかを判断する。
【０１１０】
そして、ステップＳ２４０３では、ＷＥＢページ更新判定部２３０４が更新の種類を、トリガー特殊効果決定部２２０２に通知する。ステップＳ２４０４では、トリガー特殊効果決定部２２０２は、トリガー特殊効果設定値ＤＢ２２０４を参照し、通知された更新の種類に対応する特殊効果を探す。
【０１１１】
ステップＳ２４０５では、トリガー特殊効果決定部２２０２が通知に対応する特殊効果が、トリガー特殊効果設定値ＤＢ２２０４に格納されているかを判断する。格納されている場合は（ステップＳ２４０５；Ｙｅｓ）、処理をステップＳ２４０６に移し、格納されていない場合は（ステップＳ２４０５；Ｎｏ）、処理を終了する。
【０１１２】
ステップＳ２４０６では、トリガー特殊効果決定部２２０２がトリガー特殊効果設定値ＤＢ２２０４から、通知に対応する特殊効果を取得して映像加工部２１０に特殊効果の内容を送り、処理を終了する。
【０１１３】
図２４は、図９および図１１において、副画面チャンネルＰ１０６、ＥＰＧ情報Ｐ１０４、現在時刻Ｐ１０８が副画面番組判定部２３０６に到達してから、トリガー特殊効果決定部２２０２が、映像加工部２１０に特殊効果の内容を送るまでのチャートである。
【０１１４】
まず、ステップＳ２５０１では、視聴を開始する処理が実行される。ステップＳ２５０２では、副画面番組判定部２３０６が、ＥＰＧ情報Ｐ１０４、副画面チャンネルＰ１０６、現在時刻Ｐ１０８を取得する。
【０１１５】
ステップＳ２５０３では、副画面番組判定部２３０６が１０分以内に番組が開始されるかを判断する。そして、番組が開始される場合は（ステップＳ２５０３；Ｙｅｓ）、ステップＳ２５０４へ進み、始まらない場合は（ステップＳ２５０３；Ｎｏ）、処理をステップＳ２５０２に戻す。
【０１１６】
ステップＳ２５０４では、副画面番組判定部２３０６が、番組が始まるチャンネルと、開始までの時間を、トリガー特殊効果決定部２２０２に通知する。ステップＳ２５０５では、トリガー特殊効果決定部２２０２が、トリガー特殊効果設定値ＤＢ２２０４を参照し、番組が始まるチャンネルと、開始までの時間に対応する特殊効果を探す。
【０１１７】
ステップＳ２５０６では、トリガー特殊効果決定部２２０２が、開始されるチャンネルと開始までの時間に対応する特殊効果が、トリガー特殊効果設定値ＤＢ２２０４に格納されているかを判断する。そして、格納されている場合は（ステップＳ２５０６；Ｙｅｓ）、処理をステップＳ２５０７に移し、格納されていない場合は（ステップＳ２５０６；Ｎｏ）、処理をステップＳ２５０８に移す。
【０１１８】
ステップＳ２５０７では、トリガー特殊効果決定部２２０２がトリガー特殊効果設定値ＤＢ２２０４から、開始されるチャンネルと開始までの時間に対応する特殊効果を取得して映像加工部２１０に特殊効果の内容を送り、処理を終了する。
【０１１９】
ステップＳ２５０８では、視聴者が視聴を終了するなら処理を終了し（ステップＳ２５０８；Ｙｅｓ）、視聴を続けるのなら、処理をステップＳ２５０２へ戻す（ステップＳ２５０８；Ｎｏ）。
【０１２０】
図２５は、図９および図１１において、副画面チャンネルＰ１０６、予約視聴番組情報Ｐ１１０、現在時刻Ｐ１０８が予約視聴番組判定部２３０８に到達してから、トリガー特殊効果決定部２２０２が映像加工部２１０に特殊効果の内容を送るまでの処理を示した動作フローである。
【０１２１】
まず、ステップＳ２６０１では、視聴者により視聴が開始される。そして、ステップＳ２６０２では、予約視聴番組判定部２３０８が、予約視聴番組情報Ｐ１１０、副画面チャンネルＰ１０６、現在時刻Ｐ１０８を取得する。
【０１２２】
ステップＳ２６０３では、予約視聴番組判定部２３０８が１０分以内に予約視聴番組が開始されるかを判断する。そして、番組が開始される場合には（ステップＳ２６０３；Ｙｅｓ）、ステップＳ２６０４へ進み、始まらない場合には（ステップＳ２６０３；Ｎｏ）、処理をステップＳ２６０２に戻す。
【０１２３】
ステップＳ２６０４では、予約視聴番組判定部２３０８が、番組が始まるチャンネルと、開始までの時間を、トリガー特殊効果決定部２２０２に通知する。つづけて、ステップＳ２６０５では、トリガー特殊効果決定部２２０２が、トリガー特殊効果設定値ＤＢ２２０４を参照し、番組が始まるチャンネルと、開始までの時間に対応する特殊効果を探す。
【０１２４】
ステップＳ２６０６では、トリガー特殊効果決定部２２０２が、開始されるチャンネルと開始までの時間に対応する特殊効果が、トリガー特殊効果設定値ＤＢ２２０４に格納されているかを判断する。そして、格納されている場合には（ステップＳ２６０６；Ｙｅｓ）、処理をステップＳ２６０７に移し、格納されていない場合には（ステップＳ２６０６；Ｎｏ）、処理をステップＳ２６０８に移す。
【０１２５】
ステップＳ２６０７では、トリガー特殊効果決定部２２０２がトリガー特殊効果設定値ＤＢ２２０４から、開始されるチャンネルと開始までの時間に対応する特殊効果を取得して、映像加工部２１０に特殊効果の内容を送り、処理を終了する。
【０１２６】
そして、ステップＳ２６０８では、視聴者が視聴を終了するなら処理を終了し（ステップＳ２６０８；Ｙｅｓ）、視聴を続けるのなら、処理をステップＳ２６０２へ戻す（ステップＳ２６０８；Ｎｏ）。
【０１２７】
図２６は、図９および図１１において、トリガーが来ない場合のトリガー特殊効果決定部２２０２の動作を示す動作フローである。ここでは、トリガーを待つ間隔を一例として１０秒とし、特殊効果の内容をアルファブレンディングとしている。
【０１２８】
まず、ステップＳ２７０１では、視聴者により視聴動作が開始される。つづいて、ステップＳ２７０２では、１０秒間の間にトリガーが発生し、トリガー特殊効果決定部２２０２に通知が来たかを判断する。そして、通知が来た場合には（ステップＳ２７０２；Ｙｅｓ）、ステップ２７０３に処理を移し、通知が来ていない場合は（ステップＳ２７０２；Ｎｏ）、ステップＳ２７０３に処理を戻す。
【０１２９】
ステップＳ２７０３では、トリガー特殊効果決定部２２０２がトリガー特殊効果設定値ＤＢ２２０４に格納されている前回取得したα値Ｘ０を取得する。
【０１３０】
ステップＳ２７０４では、Ｘ０が「Ｘ０＞０．５」であるかを判断する。そして、「Ｘ０＞０．５で」あれば（ステップＳ２７０４；Ｙｅｓ）、ステップＳ２７０５へ進み、それ以外の場合は（ステップＳ２７０４；Ｎｏ）、処理をステップＳ２７０６へ移す。
【０１３１】
ステップＳ２７０５では、トリガー特殊効果決定部２２０２が「Ｘ０＝Ｘ０−０．０１」でアルファブレンディングを施す指示を映像加工部２１０に送り、処理を終了する。
【０１３２】
ステップＳ２７０６では、視聴者が視聴終了を終了するなら処理を終了し（ステップＳ２７０６；Ｙｅｓ）聴を続けるのなら、処理をステップＳ２７０２に戻す（ステップＳ２７０６；Ｎｏ→ステップＳ２７０２）。
【０１３３】
［変形例］
本発明は、テレビに限定されるわけではなく、カーナビゲーションシステムや携帯電話、ＰＤＡ(Ｐｅｒｓｏｎａｌ  Ｄｉｇｉｔａｌ  Ａｓｓｉｓｔａｎｔｓ)、監視カメラ、パソコンなどにおいて、主画面と副画面を重畳表示させる場合にも適用できる。
【０１３４】
これらの機器での画面表示方法は、本明細書に記載したテレビでの画面表示方法と同一であると考えられ、本明細書の記載に基づいて、容易に実現可能であるため、これらの各機器個別の実施例の記載は省略する。
【図面の簡単な説明】
【０１３５】
【図１】映像表示装置の構成について示した図。
【図２】映像信号受信部の構成について示した図。
【図３】表示位置決定部の構成について示した図。
【図４】表示位置設定部の構成について示した図。
【図５】表示位置計算部の構成について示した図。
【図６】位置情報ＤＢのデータ構成の一例について示した図。
【図７】表示画面の座標について説明するための図。
【図８】表示画面の座標について説明するための図。
【図９】映像処理部の構成について示した図。
【図１０】映像加工部の構成について示した図。
【図１１】トリガー受信部及び特殊効果指示部について示した図。
【図１２】合成画面について示した図。
【図１３】トリガー特殊効果設定値ＤＢのデータ構成について示した図。
【図１４】表示状態について説明するための図。
【図１５】表示状態について説明するための図。
【図１６】表示状態について説明するための図。
【図１７】表示状態について説明するための図。
【図１８】表示状態について説明するための図。
【図１９】表示状態について説明するための図。
【図２０】実施形態における映像表示装置の処理を示す動作フロー。
【図２１】実施形態における映像表示装置の処理を示す動作フロー。
【図２２】実施形態における映像表示装置の処理を示す動作フロー。
【図２３】実施形態における映像表示装置の処理を示す動作フロー。
【図２４】実施形態における映像表示装置の処理を示す動作フロー。
【図２５】実施形態における映像表示装置の処理を示す動作フロー。
【図２６】実施形態における映像表示装置の処理を示す動作フロー。
【符号の説明】
【０１３６】
１０  映像信号受信部
１１０  主画面信号チューナー
１２０  主画面映像多重分離部
１３０  副画面信号チューナー
１４０  副画面映像多重分離部
２０  映像処理部
２１０  映像加工部
２１０２  主画面特殊効果処理部
２１０４  合成部
２１０６  副画面特殊効果処理部
２２０  特殊効果指示部
２２０２  トリガー特殊効果決定部
２２０４  トリガー特殊効果設定値ＤＢ
２３０  トリガー信号受信部
２３０２  リモコン操作内容判定部
２３０４  ＷＥＢページ更新判定部
２３０６  副画面番組判定部
２３０８  予約視聴番組判定部
３０  表示部
４０  表示位置決定部
４１０  表示位置設定部
４１０２  リモコン受信部
４１０４  画面配置パターンＤＢ
４１０６  表示位置判断部
４２０  表示位置計算部
４２０２  主画面重畳計算部
４２０４  位置情報ＤＢ
４２０６  副画面重畳計算部
【図１】
2008042785.tif 000003
【図２】
2008042785.tif 000004
【図３】
2008042785.tif 000005
【図４】
2008042785.tif 000006
【図５】
2008042785.tif 000007
【図６】
2008042785.tif 000008
【図７】
2008042785.tif 000009
【図８】
2008042785.tif 000010
【図９】
2008042785.tif 000011
【図１０】
2008042785.tif 000012
【図１１】
2008042785.tif 000013
【図１２】
2008042785.tif 000014
【図１３】
2008042785.tif 000015
【図１４】
2008042785.tif 000016
【図１５】
2008042785.tif 000017
【図１６】
2008042785.tif 000018
【図１７】
2008042785.tif 000019
【図１８】
2008042785.tif 000020
【図１９】
2008042785.tif 000021
【図２０】
2008042785.tif 000022
【図２１】
2008042785.tif 000023
【図２２】
2008042785.tif 000024
【図２３】
2008042785.tif 000025
【図２４】
2008042785.tif 000026
【図２５】
2008042785.tif 000027
【図２６】
2008042785.tif 000028